(57)【特許請求の範囲】
【請求項１】
推定走行路に基づいて、車線追従ヨーレートを算出する車線追従ヨーレート算出部と、
ハンドル操舵角に変換ゲインを乗算して得られるタイヤ舵角に基づいて、車両モデルから車両規範ヨーレートを算出する車両規範ヨーレート算出部と、
前記車線追従ヨーレートに基づく車線追従制御が行われている場合に、検出される車両のヨーレートに基づいて、ハンドル操舵角からタイヤ舵角へ変換する仮想的変換ゲインを車両モデルから算出する変換ゲイン算出部と、
前記車線追従制御を行わない場合におけるハンドル操舵角からタイヤ舵角への変換ゲインの初期値と前記仮想的変換ゲインとを比較し、前記初期値よりも前記仮想的変換ゲインが大きい場合に、前記仮想的変換ゲインに基づいてパワーステアリングのアシスト力を低下させるアシスト力制御部と、
を備えることを特徴とする、車両の制御装置。
【請求項２】
前記仮想的変換ゲインに基づいてパワーステアリングのアシストゲインを算出するアシストゲイン算出部を備え、
前記アシスト力制御部は、前記アシストゲインに基づいて前記アシスト力を低下させることを特徴とする、請求項１に記載の車両の制御装置。
【請求項３】
前記アシスト力制御部は、前記アシストゲインに基づいて、前記初期値よりも前記仮想的変換ゲインが大きいほど前記アシスト力を低下させることを特徴とする、請求項２に記載の車両の制御装置。
【請求項４】
前記車線追従ヨーレートに基づく車線追従制御が中断されたことを判定する判定部と、
前記車線追従制御が行われている場合は前記車線追従ヨーレートを目標ヨーレートとして選択し、前記判定部により前記車線追従制御が中断されたことが判定された場合に前記車両規範ヨーレート算出部が算出した前記車両規範ヨーレートを目標ヨーレートとして選択する目標ヨーレート選択部と、
前記目標ヨーレートに基づいて、ハンドル操舵系とは独立して車両のヨーレートを制御する制御部と、を備え、
前記判定部により前記車線追従制御が中断されたことが判定された場合に、前記車両規範ヨーレート算出部は、前記仮想的変換ゲインを前記変換ゲインとして前記車両規範ヨーレートを算出することを特徴とする、請求項１〜３のいずれかに記載の車両の制御装置。
【請求項５】
前記アシスト力制御部は、前記車線追従制御が中断された後、前記車線追従制御の中断が継続している場合は、前記仮想的変換ゲインを前記初期値へ漸減させた値に基づいて前記アシスト力を低下させることを特徴とする、請求項４に記載の車両の制御装置。
【請求項６】
前記車両規範ヨーレート算出部は、前記車線追従制御が中断された後、前記車線追従制御の中断が継続している場合は、前記仮想的変換ゲインを前記初期値へ漸減させた値を前記変換ゲインとして前記車両規範ヨーレートを算出することを特徴とする、請求項４又は５に記載の車両の制御装置。
【請求項７】
前記判定部は、運転者によるハンドル操舵トルクと操舵反力トルクとの比較に基づいて、前記車線追従制御が中断されたか否かを判定することを特徴とする、請求項４〜６のいずれか記載の車両の制御装置。
【請求項８】
前記車線追従ヨーレート算出部は、カメラで撮像した画像から得られる推定走行路に基づいて、前記車線追従ヨーレートを算出することを特徴とする、請求項１〜７のいずれかに記載の車両の制御装置。
【請求項９】
推定走行路に基づいて、車線追従ヨーレートを算出するステップと、
ハンドル操舵角に変換ゲインを乗算して得られるタイヤ舵角に基づいて、車両モデルから車両規範ヨーレートを算出するステップと、
前記車線追従ヨーレートに基づく車線追従制御が行われている場合に、検出される車両のヨーレートに基づいて、ハンドル操舵角からタイヤ舵角へ変換する仮想的変換ゲインを車両モデルから算出するステップと、
前記車線追従制御を行わない場合におけるハンドル操舵角からタイヤ舵角への変換ゲインの初期値と前記仮想的変換ゲインとを比較し、前記初期値よりも前記仮想的変換ゲインが大きい場合に、前記仮想的変換ゲインに基づいてパワーステアリングのアシスト力を低下させるステップと、
を備えることを特徴とする、車両の制御方法。
【発明の詳細な説明】
【技術分野】
【０００１】
本発明は、車両の制御装置及び車両の制御方法に関する。
【背景技術】
【０００２】
近時においては、後輪をモータで独立駆動するトルクベクタリング制御などにより、ハンドル操舵系と異なるヨーレートを発生させる車両が知られている。そして、このようなヨーレート発生機構を用いて、カメラなどで検出した車線に車両を追従させる車線追従制御、コーナリングアシスト制御を行う車両が知られている。このような車両では、ドライバーのハンドル操作によらず所望のヨーレートを得ることができる。
【０００３】
下記の特許文献１には、ハンドル操舵系とは異なるヨーレートを発生させる機構として、各輪の制動力を制御するこことが記載され、制動力による旋回時挙動制御を行う場合に、パワーステアリングのアシスト力を低減することが記載されている。また、特許文献１には、ヨーレートセンサによって検出されたヨーレート、車体速度（車速）および車両スリップ角から理想操舵角を計算し、実操舵角との偏差に応じてアシスト力を低減する装置が開示されている。
【０００４】
また、下記の特許文献２には、ドライバーの操舵から独立して車両状態量を変化させることが可能な自動操舵制御装置を備えた車両において、自動操舵制御がドライバーの操舵に応じたドライバー操舵へ切り替わる場合に、自動操舵制御により生じた第１状態量(第１ヨーレート)と、検出されたハンドル角に対し生じるべき第２状態量（第２ヨーレート)とが一致するように制御することが記載されている。
【先行技術文献】
【特許文献】
【０００５】
【特許文献１】特開平０９−０３９７６２号公報
【特許文献２】特開２０１２−２３２６７６号公報
【発明の概要】
【発明が解決しようとする課題】
【０００６】
後輪をモータで独立駆動するトルクベクタリング制御などによりハンドル操舵系と異なるヨーレート発生を発生させると、ヨーレート発生に伴うセルフステアが発生し、このセルフステアがハンドル操舵系に干渉する場合がある。このようなセルフステアは、通常はパワーステアリング機構の反力によって押し返すことができるため、ハンドルを操舵するドライバーには直接伝わることがない。このため、ハンドル操舵系とは異なるヨーレート発生機構によるヨーレート制御が行われていることをドライバーが認識し難いという問題がある。
【０００７】
上記特許文献１に記載された技術は、制動力制御の実行中に、運転者が実操舵角と理論操舵角との偏差が小さくなる方向の修正操舵を行う際には、徐々にアシスト力が高くなり、修正操舵を容易にする一方、運転者が実操舵角と理論操舵角との偏差が大きくなる方向の修正操舵を行う際には、徐々にアシスト力が低くなり、修正操舵を続行するためには、大きな操舵トルクを必要とさせるものである。しかしながら、特許文献１に記載された技術は、制動力制御の実行中に、運転者によって不必要に操舵角の切り増し、又は切り戻しが行われ、その結果、車両を安定に旋回走行させるために本来必要とされる理想操舵角に対して、実操舵角が過剰となる、又は不足する場合が生じてしまうことを課題とするものであり、カメラなどで検出した車線に車両を追従させるトルクベクタリング制御を想定したものではない。このため、特許文献１に記載された技術では、車線に車両を追従させるトルクベクタリング制御を行う場合に、ステアリング操舵力を最適に調整することは困難である。
【０００８】
また、ドライバーの操舵から独立して車両状態量を変化させる車線追従制御を行っている際に、進行路の修正などでドライバーがハンドル操舵をして車線追従制御を中断する場合がある（以下、このような動作をオーバーライドとも称する）。上述したセルフステアを押し返す力を制御オーバーライド条件とした場合、ドライバーによる軽い力のハンドル操舵で条件が満たされてしまい、車線追従制御が容易に中断されてしまう問題がある。
【０００９】
更に、車線追従制御を中断されると、ドライバーのハンドル操作による操舵に切り換わるが、切り換わった時点で車両が発生しているヨーレートに対してハンドル操舵角に相当するヨーレートが一致していないと、急激なヨー変化が発生し、操舵フィーリングに違和感が生じる場合がある。
【００１０】
この点に関し、上記特許文献２に記載された技術では、自動操舵制御からドライバーの操舵に応じた制御へ切り換わる場合に、自動操舵制御により発生する第１ヨーレートと、検出されたハンドル角に対し生じるべき第２ヨーレートとが一致するように制御しているが、両者が一致するまでの間は、ドライバーの意思による操舵入力と実際の車両の挙動が対応しない。このため、自動操舵制御からドライバーの操舵に応じた制御へ切り換わる場合に、ドライバーは操舵フィーリングに違和感を覚えしまい。自動操舵制御からドライバーによる操舵への切り換え時に違和感が発生する問題を回避することは困難である。
【００１１】
そこで、本発明は、上記問題に鑑みてなされたものであり、本発明の目的とするところは、推定走行路に基づいてハンドル操舵系とは独立してヨーレートを発生させる制御を行う際にステアリングの操舵力を最適に調整することが可能な、新規かつ改良された車両の制御装置及び車両の制御方法を提供することにある。
【課題を解決するための手段】
【００１２】
上記課題を解決するために、本発明のある観点によれば、推定走行路に基づいて、車線追従ヨーレートを算出する車線追従ヨーレート算出部と、ハンドル操舵角に変換ゲインを乗算して得られるタイヤ舵角に基づいて、車両モデルから車両規範ヨーレートを算出する車両規範ヨーレート算出部と、前記車線追従ヨーレートに基づく車線追従制御が行われている場合に、検出される車両のヨーレートに基づいて、ハンドル操舵角からタイヤ舵角へ変換する仮想的変換ゲインを車両モデルから算出する変換ゲイン算出部と、前記車線追従制御を行わない場合におけるハンドル操舵角からタイヤ舵角への変換ゲインの初期値と前記仮想的変換ゲインとを比較し、前記初期値よりも前記仮想的変換ゲインが大きい場合に、前記仮想的変換ゲインに基づいてパワーステアリングのアシスト力を低下させるアシスト力制御部と、を備える車両の制御装置が提供される。
【００１３】
前記仮想的変換ゲインに基づいてパワーステアリングのアシストゲインを算出するアシストゲイン算出部を備え、前記アシスト力制御部は、前記アシストゲインに基づいて前記アシスト力を低下させるものであっても良い。
【００１４】
また、前記アシスト力制御部は、前記アシストゲインに基づいて、前記初期値よりも前記仮想的変換ゲインが大きいほど前記アシスト力を低下させるものであっても良い。
【００１５】
また、前記車線追従ヨーレートに基づく車線追従制御が中断されたことを判定する判定部と、前記車線追従制御が行われている場合は前記車線追従ヨーレートを目標ヨーレートとして選択し、前記判定部により前記車線追従制御が中断されたことが判定された場合に前記車両規範ヨーレート算出部が算出した前記車両規範ヨーレートを目標ヨーレートとして選択する目標ヨーレート選択部と、前記目標ヨーレートに基づいて、ハンドル操舵系とは独立して車両のヨーレートを制御する制御部と、を備え、前記判定部により前記車線追従制御が中断されたことが判定された場合に、前記車両規範ヨーレート算出部は、前記仮想的変換ゲインを前記変換ゲインとして前記車両規範ヨーレートを算出するものであっても良い。
【００１６】
また、前記アシスト力制御部は、前記車線追従制御が中断された後、前記車線追従制御の中断が継続している場合は、前記仮想的変換ゲインを前記初期値へ漸減させた値に基づいて前記アシスト力を低下させるものであっても良い。
【００１７】
また、前記車両規範ヨーレート算出部は、前記車線追従制御が中断された後、前記車線追従制御の中断が継続している場合は、前記仮想的変換ゲインを前記初期値へ漸減させた値を前記変換ゲインとして前記車両規範ヨーレートを算出するものであっても良い。
【００１８】
また、前記判定部は、運転者によるハンドル操舵トルクと操舵反力トルクとの比較に基づいて、前記車線追従制御が中断されたか否かを判定するものであっても良い。
【００１９】
また、前記車線追従ヨーレート算出部は、カメラで撮像した画像から得られる推定走行路に基づいて、前記車線追従ヨーレートを算出するものであっても良い。
【００２０】
また、上記課題を解決するために、本発明の別の観点によれば、推定走行路に基づいて、車線追従ヨーレートを算出するステップと、ハンドル操舵角に変換ゲインを乗算して得られるタイヤ舵角に基づいて、車両モデルから車両規範ヨーレートを算出するステップと、前記車線追従ヨーレートに基づく車線追従制御が行われている場合に、検出される車両のヨーレートに基づいて、ハンドル操舵角からタイヤ舵角へ変換する仮想的変換ゲインを車両モデルから算出するステップと、前記車線追従制御を行わない場合におけるハンドル操舵角からタイヤ舵角への変換ゲインの初期値と前記仮想的変換ゲインとを比較し、前記初期値よりも前記仮想的変換ゲインが大きい場合に、前記仮想的変換ゲインに基づいてパワーステアリングのアシスト力を低下させるステップと、を備える車両の制御方法が提供される。
【発明の効果】
【００２１】
以上説明したように本発明によれば、ハンドル操舵系とは独立してヨーレートを発生させる制御が行われている際にステアリングの操舵力を最適に調整することが可能となる。
【図面の簡単な説明】
【００２２】
【図１】本発明の一実施形態に係る車両の構成を示す模式図である。
【図２】本発明の一実施形態に係る車両の制御装置の構成を示す模式図である。
【図３】車線追従ヨーレート算出部による車線追従ヨーレートＹｔｇ１の算出方法を説明するための模式図である。
【図４】車線追従ヨーレートＹｔｇ１に基づいて、カメラシステムにより得られる推定進行路に沿って車両が走行している状態を示す模式図である。
【図５】トルクベクタリング制御を行った場合に、ドライバーが同じハンドル操舵角θｈを設定したにも関わらず、異なるヨーレートが発生する状態を示す特性図である。
【図６】トルクベクタリング制御を行った場合に、ドライバーが同じハンドル操舵角θｈを設定したにも関わらず、異なるヨーレートが発生する状態を示す特性図である。
【図７】アシストゲイン算出部が、アシストゲインＧｐｓを算出するためのマップを示す特性図である。
【図８】パワーステアリングモータ制御部の構成を示す模式図である。
【図９】オーバーライド発生後に変換ゲインＧｈを漸減させるマップを示す特性図である。
【図１０】本実施形態に係る車両の制御装置における処理を示すフローチャートである。
【図１１】オーバーライドの有無に応じて仮想的な変換ゲインＧｈを算出する処理を示すフローチャートである。
【図１２】トルクベクタリング制御が行われているか否かを左右輪の駆動トルク差に基づいて判定し、トルクベクタリング制御が行われている場合は、パワーステアリングのアシストゲインを低下させる処理を示すフローチャートである。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
まず、図１を参照して、本発明の一実施形態に係る車両１０００の構成について説明する。図１は、本実施形態に係る車両１０００を示す模式図である。図１に示すように、車両１０００は、前輪１００，１０２、後輪１０４，１０６、後輪１０４，１０６を駆動するモータ１１０，１１２、パワーステアリング機構（Ｐ／Ｓ）１２０、舵角センサ１３０、ステアリング１３２、インバータ１４０，１４２、バッテリー１５０、ヨーレートセンサ１６０、車速センサ１７０、カメラシステム１８０、制御装置（ＥＣＵ）２００を有して構成されている。
【００２５】
本実施形態に係る車両１０００は、後輪１０４，１０６のそれぞれを駆動するためにモータ１１０，１１２が設けられている。このため、後輪１０４，１０６毎に駆動トルクを制御することができる。従って、前輪１００，１０２の操舵によるヨーレート発生とは独立して、後輪１０４，１０６のそれぞれを駆動することで、トルクベクタリング制御によりヨーレートを発生させることができる。後輪１０４，１０６は、制御装置２００の指令に基づき、後輪１０４，１０６に対応するインバータ１４０，１４２が制御されることで、駆動トルクが制御される。各インバータ１４０，１４２にはバッテリー１５０から電力が供給される。
【００２６】
パワーステアリング機構１２０は、トルク制御又は角度制御により前輪１００，１０２の舵角を制御する。舵角センサ１３０は、運転者がステアリング１３２を操作して入力した舵角θｈを検出する。ヨーレートセンサ１６０は、車両１０００のヨーレートＹａｗを検出する。車速センサ１７０は、車両１０００の車両速度Ｖを検出する。
【００２７】
図２は、本発明の一実施形態に係る車両の制御装置の構成を示す模式図である。図２に示すように、本実施形態に係る車両の制御装置は、カメラシステム１８０、車線追従ヨーレート算出部２０４、車両規範ヨーレート算出部２０６、オーバーライド判定部２０８、変換ゲイン算出部２１０、目標ヨーレート選択部２１２、トルクベクタリングモータ制御部２１４、変換ゲイン乗算部２１６、アシストゲイン算出部２１８、パワーステアリングモータ制御部２２０を有して構成されている。図２に示す構成のうち、カメラシステム１８０以外の構成は、制御装置２００から構成される。
【００２８】
図２に示す構成において、車線追従ヨーレート算出部２０４は、カメラシステム１８０から取得した推定進行路情報と車両速度Ｖとに基づいて、車線追従ヨーレートＹｔｇ１を算出する。車両規範ヨーレート算出部２０６は、車両速度Ｖとタイヤ舵角とに基づいて、車両規範ヨーレートＹｔｇ２を算出する。制御装置２００は、車線追従ヨーレートＹｔｇ１に基づく制御を行うことで、カメラシステム１８０から取得した推定進行路に沿って車両１０００が進むようにトルクベクタリング制御を行うことで、推定進行路に沿った車線追従制御を行うことができる。
【００２９】
オーバーライド判定部２０８は、ドライバー（運転者）によるハンドル操舵トルクＴｑ＿ｈと、操舵反力トルクとの比較に基づいて、ドライバー（運転者）により車線追従制御のオーバーライドが行われたか否かを判定する。より具体的には、オーバーライド判定部２０８は、ハンドル操舵トルクＴｑ＿ｈが操舵反力トルクよりも大きい場合にオーバーライドが行われたことを判定する。ハンドル操舵トルクＴｑ＿ｈは、パワーステアリング機構１２０に含まれるセンサより検出することができる。また、操舵反力トルクは、ハンドル舵角θｈと車両速度Ｖに応じて操舵反力トルクを規定するマップから求めることができる。
【００３０】
また、オーバーライド判定部２０８は、ドライバーのステアリング操作による舵角θｈの向きと、カメラシステム１８０から得られる、後述する進行路との横偏差εとの向きとを比較し、両者の向きが一致していない場合はオーバーライドが行われたと判定しても良い。
【００３１】
変換ゲイン算出部２１０は、ハンドル操舵角θｈ、発生しているヨーレートＹａｗ、および車両速度Ｖに基づいて、ハンドル操舵角θｈからタイヤ舵角δへ変換する変換ゲインＧｈを算出する。
【００３２】
目標ヨーレート選択部２１２には、車線追従ヨーレートＹｔｇ１と車両規範ヨーレートＹｔｇ２が入力される。目標ヨーレート選択部２１２は、車線追従制御が行われていない場合は、車両規範ヨーレートＹｔｇ２を目標ヨーレートＹｔｇとして選択する。また、目標ヨーレート選択部２１２は、車線追従制御が行われている場合は、車線追従ヨーレートＹｔｇ１を目標ヨーレートＹｔｇとして選択する。このため、目標ヨーレート選択部２１２は、オーバーライドの判定結果を示す判定フラグをオーバーライド判定部２０８から受け取り、判定フラグに基づいて、車線追従制御のオーバーライドが行われた場合は車両規範ヨーレートＹｔｇ２を目標ヨーレートＹｔｇとして選択する。また、目標ヨーレート選択部２１２は、車線追従制御のオーバーライドが行われていない場合は、車線追従ヨーレートＹｔｇ１を目標ヨーレートＹｔｇとして選択する。目標ヨーレート選択部２１２は、選択により得られた目標ヨーレートＹｔｇをトルクベクタリング制御部２１４へ出力する。トルクベクタリングモータ制御部２１４は、入力された目標ヨーレートＹｔｇに基づいて、モータ１１０，１１２のトルクベクタリング制御を行い、車両ヨーレートＹａｗが目標ヨーレートＹｔｇとなるように制御する。
【００３３】
車両規範ヨーレートＹｔｇ２は、車両規範ヨーレート算出部２０６において、一般的な車両モデル（平面２輪モデル）を表す以下の式（１）から算出することができる。車両規範ヨーレートＹｔｇ２は、平面２輪モデルの（１）式における車両ヨーレートγに相当する。
【００３４】
【数１】
0006374308.tif 000002
【００３５】
なお、（１）〜（３）式において、変数、定数は以下の通りである。
＜変数＞
γ：車両ヨーレート
Ｖ：車両速度
δ：タイヤ舵角
θｈ：ハンドル操舵角
Ｇｈ：ハンドル操舵角からタイヤ舵角への変換ゲイン
＜定数＞
ｌ：車両ホイールベース
ｌｆ：車両重心点から前輪中心までの距離
ｌｒ：車両重心点から前輪中心までの距離
ｍ：車両重量
ｋｆ：コーナリングパワー定数（フロント）
ｋｒ：コーナリングパワー定数（リア）
Ｇ＿ｈ０：ハンドル操舵角からタイヤ舵角への変換ゲインの初期値（ステアリングギヤ比）
【００３６】
車両規範ヨーレートＹｔｇ２（＝γ）は、車両速度Ｖ、及びタイヤ舵角δを変数として、（１）式から算出される。（１）式のタイヤ舵角δは、直接センシングできないため、（２）式から、ハンドル操舵角θｈに変換ゲインＧｈを乗じることで算出される。通常時には、変換ゲインＧｈとして、初期値（ステアリングギア比）Ｇ＿ｈ０が用いられる。ステアリングギヤ比Ｇ＿ｈ０は、例えば１／１５程度の値である。また、（１）式における定数Ａは車両の特性を表す定数であり、（３）式から求められる。
【００３７】
図３は、車線追従ヨーレート算出部２０４による車線追従ヨーレートＹｔｇ１の算出方法を説明するための模式図である。カメラシステム１８０は、ＣＣＤセンサ、ＣＭＯＳセンサ等の撮像素子を有する左右１対のカメラを有して構成され、車両外の外部環境を撮像し、自車両が走行するレーンの白線Ｗを画像情報として認識することができる。また、カメラシステム１８０は、撮像した左右１組のステレオ画像対に対し、対応する位置のずれ量から三角測量の原理によって対象物までの距離情報を生成して取得することができる。また、カメラシステム１８０は、三角測量の原理によって生成した距離情報に対して、周知のグルーピング処理を行い、グルーピング処理した距離情報を予め設定しておいた三次元的な立体物データ等と比較することにより、立体物データや白線データ等を検出する。これにより、カメラシステム１８０は、先行車両や走行レーンを示す白線Ｗの他、一時停止の標識、停止線、ＥＴＣゲートなども認識することもできる。
【００３８】
図３に示すように、ステレオカメラシステム１８０は、車両１０００が走行する走行レーンの白線Ｗを検出し、カメラシステム１８０から前方に向かって前方視点距離Ｌだけ離れた直線Ｌ１と白線Ｗとの交点Ｐ１，Ｐ２で白線座標を求める。そして、交点Ｐ１，Ｐ２の中点Ｐ３で進行路座標を求める。また、カメラシステム１８０の前方向と直線Ｌ１との交点Ｐ４（前方注視点）の座標を求める。
【００３９】
図３において、進行路との偏差ε’は進行路との横偏差ε（Ｐ３−Ｐ４間の距離）で近似することができるため、ε’→εとする。そして、カメラシステム１８０で事前に検知した進行路との横偏差εと前方注視点距離Ｌとから、操舵量に相当するパラメータ（＝旋回支援角度α［ｒａｄ］）を算出する。旋回支援角度αは、以下の式（４）から算出することができる。
α＝２×ｓｉｎ−１（ε／２Ｌ）      ・・・・（４）
【００４０】
コーナー進入時、コーナー走行時等にステアリング１３２による操舵量が不足した場合には、旋回支援角度αによるリアトルクベクタリング制御（プレビューコーナーリングアシスト制御）を実施する。車線追従ヨーレートＹｔｇ１は、旋回支援角度αを平面２輪モデルの（１）式のδに代入することで、求めることができる。すなわち、車線追従ヨーレートＹｔｇ１は、以下の式（５）から算出することができる。
【００４１】
【数２】
0006374308.tif 000003
【００４２】
なお、本実施形態では、カメラシステム１８０で撮像した画像から得られる推定走行路に基づいて車線追従ヨーレートを算出するが、他の情報から推定走行路を取得して車線追従ヨーレートＹｔｇ１を算出しても良い。
【００４３】
目標ヨーレート選択部２１２は、入力された車線追従ヨーレートＹｔｇ１と車両規範ヨーレートＹｔｇ２とを比較し、車線追従制御が行われているか否か（オーバーライド判定の結果）に応じていずれか一方を選択する。
【００４４】
図４は、車線追従ヨーレートＹｔｇ１に基づいて、カメラシステム１８０により得られる推定進行路に沿って車両１０００が走行している状態を示す模式図である。図３で説明したように、カメラシステム１８０により走行レーンを示す白線Ｗが検出され、旋回支援角度αが求まる。そして、車両速度Ｖと旋回支援角度αとから車線追従ヨーレートＹｔｇ１が算出される。上述したように、本実施形態の車両１０００は、ハンドル操作系とは異なるヨーレート発生機構を備えており、後輪１０４，１０６のそれぞれを独立のモータ１１０，１１２で駆動することにより、車線追従ヨーレートＹｔｇ１に基づくトルクベクタリング制御を行うことができる。この場合、ドライバーの操作によるハンドル操舵角θｈによらず、所望のヨーレートを得ることができる。
【００４５】
図５及び図６は、トルクベクタリング制御を行った場合に、ドライバーが同じハンドル操舵角θｈを設定したにも関わらず、異なるヨーレートが発生する状態を示す特性図である。図５及び図６において、縦軸はハンドル操舵角及び車両ヨーレートを、横軸は時間をそれぞれ示している。ここで、図５は、車線追従制御を行わない場合を示している。図５に示す期間Ｔ１では、ハンドル操舵角が−１５［ｄｅｇ］程度であり、ヨーセンサにより検出された車両ヨーレートは０．０７５［ｒａｄ／ｓｅｃ］となっている。
【００４６】
一方、図６は、車線追従制御を行った場合を示している。図６に示す期間Ｔ２では、車両ヨーレートは図５の期間Ｔ１と同じ０．０７５［ｒａｄ／ｓｅｃ］程度であるが、ハンドル操舵角が−６［ｄｅｇ］程度であり図５よりも小さくなっている。従って、車線追従制御を行わない場合（図５）と、車線追従制御を行った場合（図６）とでは、同じ車両ヨーレートであるにも関わらず、ハンドル操舵角が異なっていることが判る。
【００４７】
換言すれば、図５に示す期間Ｔ１と図６に示す期間Ｔ２では、車両ヨーレートが同一であるため、同じ半径のカーブを走行しているが、ハンドル操舵角は図６の方がより小さくなっている。これは、車線追従制御を行った場合は、後輪のトルクベクタリング制御により、より少ないハンドル操舵角でコーナーを曲がることができるためである。
【００４８】
図４に示す車両１０００が矢印Ａ１方向に進む場合、後輪のトルクベクタリング制御により、白線Ｗに従って推定走行路に応じた車線追従制御が行われる。つまり、この場合は、車線追従ヨーレートＹｔｇ１に基づく制御が行われる。従って、矢印Ａ１方向に進む場合は、ドライバーに違和感を生じさせることなく車両１０００が走行することになる。
【００４９】
一方、ドライバーが車両１０００を矢印Ａ２方向に操舵しようとすると、車線追従制御による操舵がオーバーライドされて、ハンドル操舵による制御に切り換わる。つまり、白線Ｗに基づく推定走行路に応じた車線追従制御が終了し、ドライバー自身のハンドル操舵による制御が行われる。この際、オーバーライド判定部２０８は、ドライバー（運転者）により車線追従制御のオーバーライドが行われたことを判定する。目標ヨーレート選択部２１２は、オーバーライドが行われたことを示す判定フラグをオーバーライド判定部２０８から受け取ると、目標ヨーレートをＹｔｇ１からＹｔｇ２へ切り換える。これにより、車両規範ヨーレートＹｔｇ２に基づく制御が行われる。
【００５０】
ところで、車線追従制御を行う場合に、ハンドル操舵に重畳して制御を行う方式（例えば、パワーステアリングモータによる操舵）は、車線追従制御による操舵がドライバーのハンドル操舵と直接干渉するため、操舵フィーリングが悪化する。一方、車線追従ヨーレートＹｔｇ１に基づくトルクベクタリング制御を行う場合、ドライバーのハンドル操舵との干渉は発生しない。しかし、車線追従ヨーレートＹｔｇ１に基づくトルクベクタリング制御を行う場合、ハンドル操舵系とは異なるヨーレート発生機構によりヨーレートが発生するため、セルフステアとして路面から前輪１００，１０２を介して操舵系への干渉が発生する。通常、このようなセルフステアは、パワーステアリング機構１２０を利用したドライバーの軽いステアリング操舵力で押し返すことができる。このため、車線追従制御の有効または無効に関わらず、ドライバーは一定の操舵フィーリングを感じることになり、トルクベクタリング制御による介入状況を判別し難くなる。また、このようなセルフステアを押し返す力をオーバーライド判定の条件とした場合、ドライバーによる軽いステアリング操舵力でオーバーライドの条件を満たすことになり、トルクベクタリング制御が容易に中断されてしまうことが想定される。
【００５１】
そこで、本実施形態では、推定走行路に沿った車線追従制御が行われている場合には、パワーステアリング機構１２０によるアシスト力を低減することで、ドライバーに車線追従制御が行われていることを確実に認識させるとともに、ドライバーの意図しないオーバーライドが頻繁に行われてしまうことを抑止する。
【００５２】
具体的は、変換ゲイン算出部２１０は、現在のハンドル操舵角θｈ、発生しているヨーレートＹａｗ、および車両速度Ｖに基づいて、ハンドル操舵角θｈからタイヤ舵角δへの仮想的な変換ゲインＧｈを車両モデルから逆計算して求める。上述したように、車線追従制御を行った場合は、後輪１０４，１０６のトルクベクタリング制御により、より少ないハンドル操舵角θｈでコーナーを曲がることができる。従って、求めた仮想的な変換ゲインＧｈが、変換ゲイン初期値Ｇｈ＿０（機械的なステアリングギア比に相当）よりも大きい時は、トルクベクタリングによる車線追従制御が行われていると判定することができる。ここで、仮想的な変換ゲインＧｈとは、車線追従制御を行っている際の車両１０００の進行方向から推定される仮想的なタイヤ舵角に基づいて算出され、ハンドル操舵角θｈに対する仮想的なタイヤ舵角の比である。車両１０００の進行方向から推定される仮想的なタイヤ舵角は、ハンドル舵角による旋回と、後輪のトルクベクタリングによる旋回とによって定まる。
【００５３】
そして、トルクベクタリングによる車線追従制御が行われている間は、パワーステアリング機構１２０によるアシスト力を低減してステアリング操作を重くする。これにより、ドライバーは、ステアリング操作の重さに基づいて、トルクベクタリング制御が行われていることを容易に認識することができる。また、ステアリング操作が重くなることにより、ドライバーの意図しないオーバーライド判定が頻繁に行われてしまうことを確実に抑止できる。
【００５４】
仮想的な変換ゲインＧｈの算出方法は以下の通りである。先ず、車両ヨーレートＹａｗをヨーレートセンサ１６０から検出して（１）式のγに代入し、車両速度Ｖを（１）式に代入することで、タイヤ舵角δが求まる。そして、求めたタイヤ舵角δと、舵角センサ１３０が検出したハンドル操舵角θｈとを（２）式に代入することで、仮想的な変換ゲインＧｈが求まる。求めた仮想的な変換ゲインＧｈが変換ゲイン初期値Ｇｈ＿０と一致する場合は、トルクベクタリングによる車線追従制御は行われていないことになる。また、仮想的な変換ゲインＧｈが変換ゲイン初期値Ｇｈ＿０よりも大きい場合は、トルクベクタリングによる車線追従制御が行われていることになる。
【００５５】
例えば、車線追従制御を行わない場合に、ハンドル舵角からタイヤ舵角への変換ゲイン初期値（ステアリングギヤ比Ｇ＿ｈ０）が１／１５であるものとする。また、図４において、車線追従制御により車両１０００が矢印Ａ１方向に進んでいる場合に、ハンドル舵角からタイヤ舵角Ｇｈへの仮想的な変換ゲインが、１／１０であるものとする。本実施形態では、車線追従制御を行っている際の仮想的な変換ゲインＧｈ（＝１／１０）を（１）式、（２）式から随時に逆計算し、車線追従制御を行わない場合の変換ゲイン初期値（＝１／１５）と比較する。この例では、仮想的な変換ゲインＧｈが変換ゲイン初期値Ｇ＿ｈ０よりも大きいため、後輪１０４，１０６のトルクベクタリングによる車線追従制御が行われていると判断し、パワーステアリング機構１２０のアシスト力を低減する。
【００５６】
図２において、アシストゲイン算出部２１８は、変換ゲイン算出部２１０が算出した仮想的な変換ゲインＧｈに基づいて、パワーステアリング機構１２０のアシスト力を規定するアシストゲインＧｐｓを算出する。アシストゲインＧｐｓは、パワーステアリングモータ制御部２２０へ入力される。パワーステアリングモータ制御部２２０は、アシストゲインＧｐｓに基づいて、アシストゲインが小さい程、パワーステアリング機構１２０によるアシスト力が低下するように、パワーステアリング機構１２０のモータを制御する。
【００５７】
図７は、アシストゲイン算出部２１８が、アシストゲインＧｐｓを算出するためのマップを示す特性図である。図７において、縦軸はアシストゲインＧｐｓを、横軸は仮想的な変換ゲインＧｈを示している。図７に示すように、仮想的な変換ゲインＧｈが変換ゲイン初期値Ｇ＿ｈ０以下の場合は、アシストゲインＧｐｓの値は１．０となる。一方、仮想的な変換ゲインＧｈが変換ゲイン初期値Ｇ＿ｈ０よりも大きい場合は、変換ゲインＧｈが大きい程、アシストゲインＧｐｓの値が小さくなる。
【００５８】
また、仮想的な変換ゲインＧｈが所定値Ｇｈ＿１より大きくなると、アシストゲインＧｐｓは一定値となる。これにより、ドライバーによるステアリング操舵力が過度に重くならないようにすることができる。
【００５９】
従って、仮想的な変換ゲインＧｈの値が大きいほど、すなわち、後輪１０４，１０６のトルクベクタリングによる制御量が大きいほどアシストゲインＧｐｓの値は小さな値となり、ステアリング操作が重くなる。これにより、ドライバーに適切な操舵反力を与えることが可能となり、ドライバーに後輪トルクベクタリングによる車線追従制御が行われていることを認識させるとともに、操舵フィーリングを向上させることが可能となる。
【００６０】
また、ドライバーに適切な操舵反力を与えることにより、ドライバーが意図しないオーバーライドが行われることを確実に抑止することができ、オーバーライド判定を最適に行うことが可能となる。
【００６１】
図８は、パワーステアリングモータ制御部２２０の構成を示す模式図である。図８に示すように、パワーステアリングモータ制御部２２０は、ベース電流算出部２２０ａ、アシストゲイン乗算部２２０ｂ、目標電流決定部２２０ｃ、駆動回路２２０ｄ、を有している。を有している。ベース電流算出部２２０ａは、トルクセンサ２３０が検出したハンドル操舵トルクＴｑ＿ｈと車速センサ１７０が検出した車両速度Ｖに基づいて、パワーステアリング機構１２０のモータ２４０のベース電流を算出する。アシストゲイン乗算部２２０ｂは、ベース電流にアシストゲインＧｐｓを乗算する。目標電流決定部２２０ｄは、アシストゲインＧｐｓが乗算されたベース電流に基づいて目標電流を決定する。駆動回路２２０ｄは、目標電流に基づいてパワーステアリング機構１２０のモータ２４０を駆動する。
【００６２】
次に、車線追従制御による操舵がオーバーライドされた後の制御について説明する。図４において、車線追従制御が行われている場合は、後輪１０４，１０６のトルクベクタリング制御により、車線追従制御が行われていない場合よりも少ないハンドル操舵角で車両１０００を矢印Ａ１方向に走行させることができる。一方、車線追従制御による操舵がオーバーライドされると、後輪１０４，１０６のトルクベクタリング制御が終了するため、車線追従制御におけるオーバーライド前のハンドル操舵角でドライバーが車両１０００を走行させると、後輪１０４，１０６のトルクベクタリングによる旋回が無い分だけ旋回半径が大きくなり、車両１０００は外側に向かって（より直進方向に）走行する。つまり、オーバーライド後は、オーバーライド前と同じハンドル操舵角ではオーバーライド前と同じ方向に進めないことになる。これにより、ドライバーは、車両１０００の挙動に違和感を覚えてしまう。
【００６３】
このため、本実施形態に係る車両の制御装置は、車線追従制御からハンドル操舵による追従制御へオーバーライドが行われた場合は、車線追従ヨーレートＹｔｇ１に基づく制御から車両規範ヨーレートＹｔｇ２に基づく制御に切り換えるとともに、ハンドル操舵角からタイヤ舵角への変換ゲインＧｈをオーバーライドが生じたタイミングの変換ゲインに維持する制御を行う。
【００６４】
上述したように、図４に示すようなカーブを走行中に、車線追従ヨーレートＹｔｇ１に基づく制御から車両規範ヨーレートＹｔｇ２に基づく制御に切り換えると、ドライバーの想定よりもタイヤ舵角が小さくなり、ドライバーが意図する方向よりも外側へ車両１０００が進もうとする。本実施形態では、オーバーライドが生じた後は、仮想的な変換ゲインＧｈに基づいて仮想的なタイヤ舵角を算出する。
【００６５】
例えば、上述の例と同様に、車線追従制御を行わない場合に、ハンドル舵角からタイヤ舵角への変換ゲイン（ステアリングギヤ比Ｇ＿ｈ０）が１／１５であり、車線追従制御を行う場合に、ハンドル舵角からタイヤ舵角への仮想的な変換ゲインが１／１０であるものとする。この場合に、本実施形態では、オーバーライドが行われると、オーバーライド開始時に逆計算した仮想的な変換ゲインＧｈ（＝１／１０）により車両規範ヨーレートＹｔｇ２を算出し、ハンドル操舵制御を行う。これにより、ステアリングギヤ比Ｇ＿ｈ０よりも大きな仮想的な変換ゲインＧｈにより、ハンドル操舵角θｈからタイヤ舵角δへの変換が行われるため、ハンドル操舵角θｈによって定まる車両１０００の進行方向が、オーバーライド前とオーバーライド後で一致し、オーバーライド開始時に車両１０００の挙動に違和感が生じることを確実に抑止することができる。
【００６６】
車両規範ヨーレートＹｔｇ２に基づく制御への切り換えが行われた後、仮想的な変換ゲインＧｈに基づいて、（１）式、（２）式から車両規範ヨーレートＹｔｇ２（＝γ）を求め、求めた車両規範ヨーレートＹｔｇ２に基づいてトルクベクタリングモータ制御部１１４が制御を行う。これにより、オーバーライド開始時に求められた仮想的な変換ゲインθｈに基づいてハンドル操舵制御が行われるため、車線追従ヨーレートＹｔｇ１に基づく制御から、車両規範ヨーレートＹｔｇ２に基づく制御への切り換えを行った際に、ハンドル操舵角θｈからタイヤ舵角δへの変換ゲインが最適に調整されることになり、ドライバーのハンドル操舵入力に対応した車両挙動を得ることができる。これにより、オーバーライド時に、車両１０００が発生させているヨーレートＹａｗに対してハンドル操舵角θｈが小さい場合であっても、ハンドル操舵角θｈからタイヤ舵角δへの変換ゲインが最適に調整されるため、車両挙動の変化を抑制することができ、車両の挙動に違和感が生じることを確実に抑止することが可能である。従って、ドライバーは、ハンドル操舵入力に対応した車両挙動を得ることが可能である。
【００６７】
仮想的な変換ゲインＧｈは、ヨーレートセンサ１６０から求まる車両ヨーレートＹａｗから逆演算されるため、オーバーライド開始時には、車両規範ヨーレートＹｔｇ２は車両ヨーレートＹａｗと等しくなる。その後のオーバーライドの継続中には、ドライバーのハンドル操作に応じて、仮想的な変換ゲインＧｈに基づいて車両規範ヨーレートＹｔｇ２が算出される。従って、目標となる車両規範ヨーレートＹｔｇ２の連続性を確保することが可能である。
【００６８】
前述した特許文献２に記載された手法では、例えばカーブを走行中に自動操舵制御からドライバーの操舵に応じた制御へ切り換わると、自動操舵制御により発生する第１ヨーレートと、検出されたハンドル角に対し生じるべき第２ヨーレートとが一致するように制御が行われるため、ハンドル舵角が一定であっても車両のヨーレートが刻々と変化し、ドライバーに違和感が生じてしまう。一方、本実施形態によれば、オーバーライド開始時点で仮想的な変換ゲインＧｈを求めるため、オーバーライド開始時点でハンドル操舵角θｈから車両規範ヨーレートＹｔｇ２が一義的に求まり、以降も仮想的な変換ゲインＧｈに基づいて車両規範ヨーレートＹｔｇ２が算出される。従って、ハンドル操舵角に対して車両挙動が一致しない過渡的な期間が発生することがなく、ドライバーがハンドルをきっていれば、ハンドル操舵角に応じて車両ヨーレートが発生し続けることなる。これにより、車両挙動に違和感が生じることを確実に抑止できる。
【００６９】
更に、本実施形態では、オーバーライド判定が行われた後、オーバーライドの継続中に仮想的な変換ゲインＧｈを徐々に減少させ、Ｇｈ＿０へ漸減させる制御を行う。図９は、オーバーライド発生後に変換ゲインＧｈを漸減させるマップを示す特性図である。図９に示すように、オーバーライド発生後は、時間ｔの経過に伴って仮想的な変換ゲインＧｈを漸減させ、仮想的な変換ゲインＧｈは最終的にＧｈ＿０に到達する。仮想的な変換ゲインＧｈを漸減させる際の時定数は一例としてＴとする。図９のマップに基づく変換ゲインＧｈの漸減は制御周期毎に行われ、今回の制御周期で算出される仮想的な変換ゲインＧｈは、前回の制御周期で算出された仮想的な変換ゲインＧｈ’に対して制御周期の時間Ｔの減少分を漸減させた値とされる。これにより、オーバーライド判定後、時間の経過に伴って、仮想的な変換ゲインＧｈをステアリングギア比に相当する値Ｇｈ＿０に漸近させることができる。従って、オーバーライド判定後、パワーステアリング機構１２０のアシストゲインＧｐｓは仮想的な変換ゲインＧｈの減少に伴ってが徐々に増加することになり、ドライバーのステアリング操作が急に軽くなってしまうことを抑止できる。また、オーバーライド判定後、仮想的な変換ゲインＧｈがＧｈ＿０に到達するまでの間、仮想的な変換ゲインＧｈに基づいて算出される車両規範ヨーレートＹｔｇ２の連続性を確保することが可能となり、ドライバーに違和感を与えてしまうことを抑止できる。
【００７０】
なお、本実施形態では、後輪１０４，１０６の独立駆動によるトルクベクタリングを用いた車線追従制御を行う車両１０００を例示したが、本実施形態に係る車両の制御装置は、ドライバーのハンドル操作とは独立したヨーレート発生機構を有する構成に広く適用することができる。ドライバーのハンドル操作とは独立したヨーレート発生機構としては、本実施形態のように後輪１０４，１０６を独立して駆動するものの他、トルクベクタリングデファレンシャルによるもの、後輪操舵機構（４ＷＳ）によるもの、摩擦ブレーキによるもの、等を挙げることができる。
【００７１】
図１０は、本実施形態に係る車両の制御装置における処理を示すフローチャートである。先ず、ステップＳ１０では、ハンドル操舵角からタイヤ舵角への仮想的な変換ゲインＧｈを算出する。上述したように、仮想的な変換ゲインＧｈの算出は、後輪トルクベクタリング制御が行われている間にオーバーライドが行われたか否かによって異なる。図１１は、図１０のステップＳ１０の処理、すなわち、オーバーライドの有無に応じて仮想的な変換ゲインＧｈを算出する処理を示すフローチャートである。図１１のステップＳ２０では、後輪トルクベクタリング制御が行われている間にオーバーライドが行われたか否かを判定し、オーバーライドが行われていない場合は、ステップＳ２２へ進む。ステップＳ２２では、（１）式、（２）式より仮想的な変換ゲインＧｈを算出する。
【００７２】
また、図１１のステップＳ２０でオーバーライドが行われたことが判定された場合は、ステップＳ２４へ進む。ステップＳ２４では、オーバーライド発生時は、（１）式、（２）式より算出した値を仮想的な変換ゲインＧｈとし、オーバーライド発生後は、オーバーライドが発生からの経過時間ｔに基づいて、図９のマップから変換ゲインＧｈを算出する。これにより、前回の制御周期で算出された仮想的な変換ゲインＧｈ’を漸減させた仮想的な変換ゲインＧｈが算出される。ステップＳ２２，Ｓ２４の後は処理を終了し、図１０のステップＳ１２へ進む。
【００７３】
図１０のステップＳ１２では、ステップＳ１０で算出した仮想的な変換ゲインＧｈと変換ゲイン初期値Ｇｈ＿０を比較し、Ｇｈ＞Ｇｈ＿０であるか否かを判定する。そして、Ｇｈ＞Ｇｈ＿０の場合はステップＳ１４へ進む。ステップＳ１４では、図７のマップを用いて、仮想的な変換ゲインＧｈからパワーステアリング機構１２０のアシストゲインＧｐｓを算出する。
【００７４】
一方、ステップＳ１２でＧｈ＞Ｇｈ＿０でない場合はステップＳ１６へ進む。ステップＳ１６では、図７のマップに基づき、アシストゲインＧｐｓを１．０とする。
【００７５】
ステップＳ１４，Ｓ１６の後はステップＳ１８へ進む。ステップＳ１８では、ステップＳ１４，Ｓ１６で算出したアシストゲインＧｐｓに基づいて、パワーステアリング機構１２０のモータの駆動力を変更する処理を実行する。これにより、アシストゲインＧｐｓに基づいてパワーステアリング機構１２０による操舵力のアシストが行われる。ステップＳ１８の後は処理を終了する。
【００７６】
図１０及び図１１の処理は制御周期毎に行われる。従って、オーバーライドが発生した後は、図１１のステップＳ２４で算出される仮想的な変換ゲインＧｈは制御周期毎に減少し、図１０のステップＳ１４で算出されるアシストゲインＧｐｓは仮想的な変換ゲインＧｈの減少に伴って減少する。従って、オーバーライドが発生した後は、仮想的な変換ゲインＧｈが変換ゲイン初期値Ｇｈ＿０に到達するまでの間、仮想的な変換ゲインＧｈの低下に伴ってパワーステアリング機構１２０のアシスト力は徐々に増加し、ドライバーによるステアリング操作が時間の経過とともに軽くなる。
【００７７】
なお、上述した実施形態では、仮想的な変換ゲインＧｈと変換ゲイン初期値Ｇｈ＿０との比較に基づいて、Ｇｈ＞Ｇｈ＿０の場合は仮想的な変換ゲインＧｈの値に応じてアシストゲインＧｐｓの値を定めることで、トルクベクタリング制御が行われている場合にステアリング操作を重くするようにした。一方、他の手法によりトルクベクタリング制御が行われているか否かを判定し、トルクベクタリング制御が行われている場合にステアリング操作を重くするようにしても良い。
【００７８】
図１２は、トルクベクタリング制御が行われているか否かを左右輪の駆動トルク差に基づいて判定し、トルクベクタリング制御が行われている場合は、パワーステアリングのアシストゲインを低下させる処理を示すフローチャートである。先ず、ステップＳ３０では、左右輪の駆動トルク差の絶対値｜Ｔｑ＿ｌ−Ｔｑ＿ｒ｜を算出し、絶対値｜Ｔｑ＿ｌ−Ｔｑ＿ｒ｜が所定のしきい値ｄよりも大きいか否かを判定する。ここで、Ｔｑ＿ｌは左側の後輪１０４の駆動トルクであり、Ｔｑ＿ｒは右側の後輪１０６の駆動トルクである。
【００７９】
そして、絶対値｜Ｔｑ＿ｌ−Ｔｑ＿ｒ｜がしきい値ｄよりも大きい場合は、後輪１０４，１０６の駆動力差によりトルクベクタリング制御が行われているため、ステップＳ３２へ進み、アシストゲインＧｐｓを０．７とする。これにより、トルクベクタリング制御が行われている場合に、パワーステアリング機構１２０のアシスト力を低下させ、ステアリング操作を重くすることができる。従って、トルクベクタリング制御が行われている場合に、ドライバーに適切な操舵反力を与えることが可能となり、操舵フィーリングを向上させることが可能となる。
【００８０】
また、絶対値｜Ｔｑ＿ｌ−Ｔｑ＿ｒ｜がしきい値ｄ以下の場合は、後輪１０４，１０６の駆動力差によるトルクベクタリング制御が行われていないと判断し、ステップＳ３４へ進む。ステップＳ３４では、アシストゲインを１．０とする。これにより、パワーステアリング機構１２０によるアシスト力が最大となり、トルクベクタリング制御が行われていない場合にステアリング操作を軽くすることができる。
【００８１】
以上説明したように本実施形態によれば、後輪１０４，１０６のトルクベクタリング制御を行っている際に、仮想的な変換ゲインＧｈと変換ゲイン初期値Ｇｈ＿０との大小関係を比較し、Ｇｈ＞Ｇｈ＿０の場合にパワーステアリング機構１２０のアシストを低減するようにした。これにより、トルクベクタリング制御の最中にステアリング操作が重くなるため、コーナリング時にドライバーに適切な操舵反力を与えることが可能となり、操舵フィーリングを向上させることができる。また、コーナリング時にドライバーに適切な操舵反力を与えることにより、ドライバーの意図しないオーバーライドが頻繁に行われてしまうことを抑止することができる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８３】
１８０    カメラシステム
２００    制御装置
２０４    車線追従ヨーレート算出部
２０６    車両規範ヨーレート算出部
２０８    オーバーライド判定部
２１０    変換ゲイン算出部
２１２    目標ヨーレート選択部
２１４    トルクベクタリングモータ制御部
２１８    アシストゲイン算出部
２２０    パワーステアリングモータ制御部
【図１】
0006374308.tif 000004
【図２】
0006374308.tif 000005
【図３】
0006374308.tif 000006
【図４】
0006374308.tif 000007
【図５】
0006374308.tif 000008
【図６】
0006374308.tif 000009
【図７】
0006374308.tif 000010
【図８】
0006374308.tif 000011
【図９】
0006374308.tif 000012
【図１０】
0006374308.tif 000013
【図１１】
0006374308.tif 000014
【図１２】
0006374308.tif 000015